(57)【要約】【課題】スライド操作時に大きな作動力を得ることができるスライドスイッチを提供すること。【解決手段】少なくとも上方が開口するケース１と、このケース１にスライド移動可能に保持されると共に凹凸部からなる複数の係合部が設けられたスライド部材２と、このスライド部材２のスライド移動に伴って複数の係合部とそれぞれ係脱する膨出部３１を有する複数のクリック板ばね３と、スライド部材２のスライド動作を検出する検出手段と、ケース１の開口部に被せられる金属製のカバー部材４とを備えたスライドスイッチ１００において、クリック板ばね３の少なくとも一つの裏面側に、当該クリック板ばね３をスライド部材２側へ付勢可能な第２の板ばね（４２）を配設したことを特徴とする。【選択図】図１
2011049036.tif 000002
【特許請求の範囲】
【請求項１】
少なくとも上方が開口するケースと、このケースにスライド移動可能に保持されると共に複数の係合部が設けられたスライド部材と、前記スライド部材のスライド移動に伴って前記複数の係合部とそれぞれ係脱する膨出部を有する複数のクリック板ばねと、前記スライド部材のスライド動作を検出する検出手段と、前記ケースの開口部に被せられる金属製のカバー部材とを備えたスライドスイッチにおいて、前記クリック板ばねの少なくとも一つの裏面側に、当該クリック板ばねを前記スライド部材側へ付勢可能な第２の板ばねを配設したことを特徴とするスライドスイッチ。
【請求項２】
前記第２の板ばねにより付勢される前記クリック板ばねは、中央部に前記膨出部が設けられており、前記第２の板ばねには、前記膨出部の端部近傍を押圧可能な突出部が設けられていることを特徴とする請求項１記載のスライドスイッチ。
【請求項３】
前記クリック板ばねの膨出部が前記係合部と係合してない状態において、前記第２の板ばねにより付勢される前記クリック板ばねと前記第２の板ばねとの間にクリアランスが設けられ、前記クリック板ばねの膨出部が前記係合部と係合する際に当該クリック板ばねが前記第２の板ばねに付勢されることを特徴とする請求項１又は請求項２記載のスライドスイッチ。
【請求項４】
前記ケースは、前記スライド部材のスライド操作方向に沿った側方が開口されていると共に、前記第２の板ばねにより付勢される前記クリック板ばねが前記ケースの内底面に立設状態で配置され、前記カバー部材は、前記ケースの上方に配置される天板部と前記側方の開口に対向して配置される側板部とを有し、この側板部に前記第２の板ばねを形成したことを特徴とする請求項１から請求項３のいずれかに記載のスライドスイッチ。
【請求項５】
前記複数のクリック板ばねは２つからなり、一方は前記第２の板ばねにより付勢されるものであり、他方は前記カバー部材に一体に形成されていることを特徴とする請求項１から請求項４のいずれかに記載のスライドスイッチ。
【請求項６】
前記第２の板ばねにより付勢される前記クリックばねと、前記カバー部材に一体に形成される前記クリックばねとが略直交する状態に配置されることを特徴とする請求項５記載のスライドスイッチ。
【請求項７】
前記スライド部材を挟んで前記複数のクリック板ばねを備えると共に、当該複数のクリック板ばねに対応して前記側板部に前記第２の板ばねを一対形成し、スライド操作を受け付ける操作部が当該スライド部材から上方に突出して設けたことを特徴とする請求項４記載のスライドスイッチ。
【発明の詳細な説明】
【技術分野】
【０００１】
本発明は、スライドスイッチに関し、特に、操作者によるスライド操作に伴ってスライド移動するスライド部材を備えるスライドスイッチに関する。
【背景技術】
【０００２】
従来、操作者によるスライド操作に伴ってスライド移動するスライド部材と、このスライド部材を挟んで配置される一対のクリックばねとを備え、これらのクリックばねの間でスライド部材をスライド移動可能とすると共に、スライド部材に設けられたクリック動作面とクリックばねとの相互作用によりクリック感触を付与するものが知られている（例えば、特許文献１参照）。
【先行技術文献】
【特許文献】
【０００３】
【特許文献１】特公平１−３９６０７号公報
【発明の概要】
【発明が解決しようとする課題】
【０００４】
ところで、このようなスライドスイッチにおいては、スライド部材をスライド移動させる際に大きな作動力の発生を要請するものがある。上述したような一対のクリックばねを有するスライドスイッチにおいては、これらのクリックばねとスライド部材との当接により作動力が発生することとなるが、要請される作動力が大きい場合にはこれに対応することができない場合がある。特に、スライドスイッチ自体が小型化される場合には、これに伴ってクリックばねも小型化、薄型化され、十分な作動力を得ることが極めて困難となる。
【０００５】
本発明は、このような実情に鑑みてなされたものであり、スライド操作時に大きな作動力を得ることができるスライドスイッチを提供することを目的とする。
【課題を解決するための手段】
【０００６】
本発明のスライドスイッチは、少なくとも上方が開口するケースと、このケースにスライド移動可能に保持されると共に複数の係合部が設けられたスライド部材と、前記スライド部材のスライド移動に伴って前記複数の係合部とそれぞれ係脱する膨出部を有する複数のクリック板ばねと、前記スライド部材のスライド動作を検出する検出手段と、前記ケースの開口部に被せられる金属製のカバー部材とを備えたスライドスイッチにおいて、前記クリック板ばねの少なくとも一つの裏面側に、当該クリック板ばねを前記スライド部材側へ付勢可能な第２の板ばねを配設したことを特徴とする。
【０００７】
上記スライドスイッチによれば、クリック板ばねを複数有すると共に、少なくとも１つのクリック板ばねの裏面側に第２の板ばねを配設したことから、クリック板ばねがスライド部材の係合部に係合する力、すなわち、スライド部材のスライド操作時における作動力を大きくすることができるので、スライド操作時に大きな作動力を得ることができるスライドスイッチを提供することが可能となる。
【０００８】
上記スライドスイッチにおいては、前記第２の板ばねにより付勢される前記クリック板ばねは、中央部に前記膨出部が設けられており、前記第２の板ばねには、前記膨出部の端部近傍を押圧可能な突出部が設けられていることが好ましい。この場合には、クリック板ばねの膨出部の端部近傍を第２の板ばねの突出部で押圧するようにしたことから、第２の板ばねの付勢力を確実に膨出部へ作用させることができるので、スライド部材のスライド操作における作動力を確実に高めることが可能となる。
【０００９】
また、上記スライドスイッチにおいては、前記クリック板ばねの膨出部が前記係合部と係合してない状態において、前記第２の板ばねにより付勢される前記クリック板ばねと前記第２の板ばねとの間にクリアランスが設けられ、前記クリック板ばねの膨出部が前記係合部と係合する際に当該クリック板ばねが前記第２の板ばねに付勢されることが好ましい。この場合、初期状態においては、第２の板ばねによりクリック板ばねが付勢されていないので、スライドスイッチのリフロー半田付け時等に高温に晒されたとしても、第２の板ばねのばね力が低下する事態を抑制することができ、スライド操作時に所望の作動力を確保することが可能となる。
【００１０】
また、上記スライドスイッチにおいて、前記ケースは、前記スライド部材のスライド操作方向に沿った側方が開口されていると共に、前記第２の板ばねにより付勢される前記クリック板ばねが前記ケースの内底面に立設状態で配置され、前記カバー部材は、前記ケースの上方に配置される天板部と前記側方の開口に対向して配置される側板部とを有し、この側板部に前記第２の板ばねを形成することが好ましい。この場合には、カバー部材の一部で第２の板ばねを構成したことから、スライドスイッチ自体を小型化することができると共に、スライドスイッチを構成する部品点数を増やすことなくスライド操作時における作動力を高めることが可能となる。
【００１１】
また、上記スライドスイッチにおいて、前記複数のクリック板ばねは２つからなり、一方は前記第２の板ばねにより付勢されるものであり、他方は前記カバー部材に一体に形成されていることが好ましい。この場合には、一方のクリック板ばねが第２の板ばねにより付勢され、他方のクリック板ばねがカバー部材に一体に形成されていることから、スライドスイッチを構成する部品点数を削減でき、スライドスイッチの構成を簡素化することが可能となる。
【００１２】
また、上記スライドスイッチにおいては、前記第２の板ばねにより付勢される前記クリック板ばねと、前記カバー部材に一体に形成される前記クリック板ばねとが略直交する状態に配置されることが好ましい。この場合には、２つのクリック板ばねにより略直交する方向にスライド部材を付勢することができるので、スライド部材のスライド移動を安定化させることが可能となる。
【００１３】
また、上記スライドスイッチにおいては、前記スライド部材を挟んで前記複数のクリック板ばねを備えると共に、当該複数のクリック板ばねに対応して前記側板部に前記第２の板ばねを一対形成し、スライド操作を受け付ける操作部が当該スライド部材から上方に突出して設けることが好ましい。この場合には、スライド部材を挟んでクリック板ばねを２つ備えると共に、当該２つのクリック板ばねに対応して側板部に第２の板ばねを一対形成していることから、スライド部材のスライド操作時における作動力を更に高めることが可能となる。また、スライド部材を挟んでクリック板ばねを配設していることから、バランスよくスライド部材を保持することができ、スライド移動を安定化させることが可能となる。
【発明の効果】
【００１４】
本発明によれば、クリック板ばねを複数有すると共に、少なくとも１つのクリック板ばねの裏面側に第２の板ばねを配設したことから、クリック板ばねがスライド部材の係合部に係合する力、すなわち、スライド部材のスライド操作時における作動力を大きくすることができるので、スライド操作時に大きな作動力を得ることができるスライドスイッチを提供することが可能となる。
【図面の簡単な説明】
【００１５】
【図１】本発明の実施の形態１に係るスライドスイッチの分解斜視図である。
【図２】実施の形態１に係るスライドスイッチの斜視図である。
【図３】図２に示すスライドスイッチからカバー部材を取り除いた状態の斜視図である。
【図４】実施の形態１に係るスライドスイッチの上面図及び下面図である。
【図５】実施の形態１に係るスライドスイッチをスライド操作した場合の斜視図である。
【図６】実施の形態１に係るスライドスイッチをスライド操作した場合の上面図及び下面図である。
【図７】実施の形態１の変形例に係るスライドスイッチの分解斜視図である。
【図８】実施の形態１の変形例に係るスライドスイッチの分解斜視図である。
【図９】本発明の実施の形態２に係るスライドスイッチの分解斜視図である。
【図１０】実施の形態２に係るスライドスイッチの斜視図である。
【図１１】図１０に示すスライドスイッチからカバー部材を取り除いた状態の斜視図である。
【図１２】実施の形態２に係るスライドスイッチの上面図及び下面図である。
【図１３】実施の形態２に係るスライドスイッチをスライド操作した場合の斜視図である。
【図１４】実施の形態２に係るスライドスイッチをスライド操作した場合の上面図及び下面図である。
【発明を実施するための形態】
【００１６】
以下、本発明の実施の形態について添付図面を参照して詳細に説明する。なお、本実施の形態に係るスライドスイッチは、例えば、パーソナルコンピュータ等の電子機器の電源スイッチに好適に用いられるものであるが、これに限定されるものではなく、小型化が要請される一方、大きな作動力の発生が要請される任意の機器に適用することが可能である。
【００１７】
（実施の形態１）
図１は、本発明の実施の形態１に係るスライドスイッチ１００の分解斜視図である。図２は、実施の形態１に係るスライドスイッチ１００の斜視図である。図３は、図２に示すスライドスイッチ１００からカバー部材を取り除いた状態の斜視図である。なお、図２及び図３においては、実施の形態１に係るスライドスイッチ１００にスライド操作が行われていない初期状態を示している。
【００１８】
図１に示すように、実施の形態１に係るスライドスイッチ１００は、収納部１０を有するケース１と、ケース１の収納部１０にスライド移動可能に保持されるスライド部材２と、同じく収納部１０に収納され、スライド部材２に設けられた複数の係合部に係脱する膨出部３１を有するクリック板ばね３と、収納部１０にスライド部材２及びクリック板ばね３を収納した状態のケース１に被せられるカバー部材４とを含んで構成されている。
【００１９】
ケース１は、例えば、絶縁性の樹脂材料で成形され、図１に示すように、上方側に開口した長方形の箱形状を有している。ケース１の内部には、収納部１０が設けられており、この収納部１０は、後述する支持壁部１５ａ、１５ｂを挟んでスライド部材２が収納される第１収納部１０ａと、クリック板ばね３が収納される第２収納部１０ｂとから構成される。第１収納部１０ａの内底面には固定接点５が設けられている。固定接点５は、ケース１の内底面に所定間隔を有して配置されており、ケース１の底面内部で側方側に導出される複数の外部出力用端子５１に接続されている。これらの外部出力用端子５１を半田付け等により固定することにより、スライドスイッチ１００が実装面に固定されることとなる。
【００２０】
ケース１の長手方向に沿った一方の側面部１１には、後述するスライド部材２の操作部２２を露出可能な開口部１１ａが設けられている。側面部１１に対向する側面部１２には、後述するカバー部材４の側板部４２を収容可能に開口部１２ａが設けられている。また、ケース１の短手方向に沿った双方の側面部１３、１４には、それぞれ一対の係合片１３ａ、１３ｂ、１４ａ、１４ｂが設けられ、後述するカバー部材４の取付片４３ａ、４３ｂと係合可能に構成されている（図１において、係合片１４ａは不図示）。
【００２１】
ケース１の内底面であって、側面部１２から僅かに側面部１１寄りの位置には、一対の支持壁部１５ａ、１５ｂが立設されている。これらの支持壁部１５ａ、１５ｂは、それぞれ側面部１３、１４に接続して設けられており、両者の間には一定の開口部１６が設けられている。また、これらの支持壁部１５ａ、１５ｂは、ケース１の内底面から、側面部１３、１４よりも低い位置まで延出して設けられている。これらの支持壁部１５ａ、１５ｂの上面は、スライド部材２の一部を載置してスライド部材２のスライド動作をガイドする役割を果たすものとなっている。
【００２２】
スライド部材２は、例えば、絶縁性の樹脂材料で成形され、図１に示すように、上面視にてＴ字形状を有している。スライド部材２は、ケース１の第１収納部１０ａに収納される基部２１と、この基部２１から側方側に突出して設けられた操作部２２とから構成されている。基部２１が第１収納部１０ａに収納された状態において、操作部２２は、側面部１１に設けられた開口部１１ａから外部に露出可能に配置されている。
【００２３】
基部２１の中央上面には、一対の凹部２１ａ、２１ｂが離間して設けられており、これらの凹部２１ａ、２１ｂの間には凸部２１ｃが設けられている。同様に、基部２１における操作部２２とは反対側の側面には、一対の凹部２１ｄ、２１ｅが離間して設けられており、これらの凹部２１ｄ、２１ｅの間には凸部２１ｆが設けられている。凹部２１ａと凹部２１ｄとは連続して設けられ、概してＬ字形状の凹部を構成するものとなっている。同様に、凹部２１ｂと凹部２１ｅとは連続して設けられ、概してＬ字形状の凹部を構成するものとなっている。凹部２１ａ、２１ｂと凸部２１ｃと凹部２１ｄ、２１ｅと凸部２１ｆとはスライド部材の膨出部と係合する係合部を構成するものとなっている。
【００２４】
基部２１の下面には、可動接点６が固定される固定突起２１ｇ（図１に不図示、図４参照）が設けられている。可動接点６は、例えば、良導電性の金属板材で構成され、基部２１の固定突起に固定される孔６１ａを有する固定部６１と、この固定部６１からスライド部材２のスライド移動方向に沿って延出する一対の腕部６２ａ、６２ｂとを有している。腕部６２ａ、６２ｂは、それぞれ僅かに下方側に延出して設けられ、その先端部には、固定接点５に摺接する接点部６２ｃ、６２ｄが設けられている。
【００２５】
可動接点６は、基部２１の下面に固定され、スライド部材２と一体的に移動可能に構成される。スライド部材２が第１収納部１０ａに収納された状態において、可動接点６の接点部６２ｃ、６２ｄは、固定接点５の上面に摺接可能に配置される。スライド部材２のスライド位置に応じて可動接点６の接点部６２ｃ、６２ｄと固定接点５との接触状態が切り替えられ、当該接触状態に応じた電気信号が固定接点５の外部出力用端子５１を介して外部出力される。すなわち、可動接点６は、固定接点５と共に、スライド部材２のスライド動作を検出する検出手段として機能する。
【００２６】
クリック板ばね３は、例えば、弾性を有する金属板材で構成され、概して長尺形状を有している。クリック板ばね３は、その中央部にスライド部材２側に突出するように折り曲げ形成された膨出部３１と、この膨出部３１からスライド部材２のスライド移動方向に延出する被支持部３２ａ、３２ｂとを有している。クリック板ばね３は、ケース１の内底面に立設された状態で第２収納部１０ｂに収納される。この場合、クリック板ばね３は、被支持部３２ａ、３２ｂの端部を支持壁部１５ａ、１５ｂと、側面部１２との間に配置した状態で第２収納部１０ｂに収納される。膨出部３１は、クリック板ばね３が第２収納部１０ｂに収納された状態において、支持壁部１５ａ、１５ｂの間の開口部１６から第１収納部１０ａ側に突出し、スライド部材２の凹部２１ｄ、２１ｅ及び凸部２１ｆと係脱可能に構成されている。すなわち、これらの凹部２１ｄ、２１ｅ及び凸部２１ｆは、クリック板ばね３の膨出部３１が係脱する係合部を構成するものとなっている。
【００２７】
カバー部材４は、例えば、弾性を有する金属板材に打ち抜き加工及び折り曲げ加工を施すことで形成され、概して長方形の天板部４１と、この天板部４１の長手方向の一方の側縁部から垂下して設けられる側板部４２と、短手方向の双方の側縁部から垂下して設けられる一対の取付片４３ａ、４３ｂとを有している。天板部４１の中央部には、一対のスリット４１ａ、４１ｂがスライド部材２のスライド移動方向に沿って設けられると共に、これらのスリット４１ａ、４１ｂの間に弾性片４１ｃがスライド部材２のスライド移動方向に沿って設けられている。この弾性片４１ｃは、クリック板ばねとして機能するものであり、その中央部に下方側、すなわち、スライド部材２側に突出するように折り曲げ形成された膨出部４１ｄを有している。
【００２８】
側板部４２は、その両端部で天板部４１の取付片４３ａ、４３ｂの近傍の位置で連結され、天板部４１と略直交する状態に設けられている。側板部４２は、カバー部材４がケース１に被せられた状態において、その開口部１２ａに収容される位置に配置される。この場合、側板部４２は、第２収納部１０ｂに収納されたクリック板ばね３の裏面側、すなわち、クリック板ばね３の外側の位置にクリック板ばね３をスライド部材２側に付勢可能に配置されている。側板部４２の中央部には、ケース１の収納部１０側に突出して、クリック板ばね３の膨出部３１の端部近傍の部分（図１に示す部分３１ａ、３１ｂ）、言い換えると、膨出部３１のすそ部分を押圧可能な突出部４２ａが設けられている。すなわち、側板部４２は、クリック板ばね３を付勢可能な第２の板ばねとして機能する。
【００２９】
取付片４３ａ、４３ｂの下端部には、短手方向に沿って延出するそれぞれ一対の係合片４３ｃ、４３ｄが設けられている。カバー部材４がケース１の収納部１０に被せられた状態で、取付片４３ａ、４３ｂの係合片４３ｃ、４３ｄがそれぞれケース１の係合片１３ａ、１３ｂ、係合片１４ａ、１４ｂと係合することで、カバー部材４がケース１に取り付けられることとなる（図２参照）。
【００３０】
このような構成を有するスライドスイッチ１００を組み立てると、図３に示すように、スライド部材２は、ケース１の側面部１１に設けられた開口部１１ａから操作部２２を露出した状態で第１収納部１０ａに収納される。クリック板ばね３は、膨出部３１を開口部１６から第１収納部１０ａに突出させた状態で第２収納部１０ｂに収納される。そして、図２に示すように、収納部１０にスライド部材２及びクリック板ばね３を収納した状態のケース１にカバー部材４が被せられる。カバー部材４は、天板部４１がケース１の開口部を覆うと共に、側板部４２がケース１の側面部１２に設けられた開口部１２ａに収容されるように配置される。この場合、側板部４２は、クリック板ばね３の外側に配置され、その突出部４２ａがクリック板ばね３の膨出部３１の背面に対向して配置されている。
【００３１】
ここで、初期状態におけるスライド部材２、クリック板ばね３及びカバー部材４の側板部４２の関係について説明する。図４（ａ）、（ｂ）は、実施の形態１に係るスライドスイッチ１００の初期状態における上面図及び下面図である。なお、図４（ｂ）においては、説明の便宜上、ケース１及び固定接点５を省略している。
【００３２】
図４（ｂ）に示すように、スライドスイッチ１００の初期状態においては、クリック板ばね３の膨出部３１がスライド部材２の凹部２１ｅに収容された状態となっている。この場合、クリック板ばね３と、側板部４２の押圧部４２ａとの間には一定のクリアランスが設けられた状態となっている。すなわち、スライドスイッチ１００の初期状態においては、クリック板ばね３は、側板部４２に付勢された状態となっていない。このため、スライドスイッチ１００のリフロー半田付け時等に、高温に晒されたとしても、側板部４２ａのばね力の低下を抑えることができ、操作時に所望の作動力を確保できるものとなっている。
【００３３】
また、スライドスイッチ１００の初期状態においては、弾性片４１ｃの膨出部４１ｄがスライド部材２の凹部２１ｂに収容された状態となっている。この場合、膨出部４１ｄと、凹部２１ｂとの間には一定のクリアランスが設けられた状態となっている。このため、スライドスイッチ１００の初期状態においては、弾性片４１ｃは変形していないことから、側板部４２ａと同様に、スライドスイッチ１００のリフロー半田付け時等に、高温に晒されたとしても、そのばね力の低下を抑えることができ、操作時に所望の作動力を確保できるものとなっている。
【００３４】
次に、実施の形態１に係るスライドスイッチ１００において、スライド操作が行われた場合の状態について説明する。図５は、実施の形態１に係るスライドスイッチ１００において、スライド操作が行われた場合の斜視図である。図６（ａ）、（ｂ）は、実施の形態１に係るスライドスイッチ１００において、スライド操作が行われた場合の上面図及び下面図である。なお、図６（ｂ）においては、説明の便宜上、ケース１及び固定接点５を省略している。
【００３５】
図２に示す状態からスライド部材２の操作部２２にスライド操作が行われると、図５に示すように、スライド部材２の凸部２１ｃが弾性片４１ｃの膨出部４１ｄの下に入り込む。これにより、膨出部４１ｄが持ち上げられ、弾性片４１ｃが上方側に撓むこととなる。これに伴い、弾性片４１ｃによってスライド部材２が上方側から付勢され、作動力が発生することとなる。
【００３６】
同様に、図２に示す状態からスライド部材２の操作部２２にスライド操作が行われると、図６（ｂ）に示すように、スライド部材２の凸部２１ｆがクリック板ばね３の膨出部３１と当接した状態となる。これにより、膨出部３１が側方側に押し出され、クリック板ばね３が側方側に撓むこととなる。クリック板ばね３が側方側に撓むと、これに伴って膨出部３１の端部近傍が側板部４２の突出部４２ａと当接し、膨出部３１が押圧されることとなる。これにより、クリック板ばね３の付勢力に加えて、側板部４２の付勢力によってスライド部材２が側方側から付勢され、作動力が発生することとなる。
【００３７】
このように実施の形態１に係るスライドスイッチ１００においては、クリック板ばねを複数有する（クリック板ばね３、弾性片４１ｃ）と共に、クリック板ばね３の裏面側に第２の板ばねとしての側板部４２を配設したことから、クリック板ばねがスライド部材２の係合部に係合する力、すなわち、スライド部材２のスライド操作時における作動力を大きくすることができるので、スライド操作時に大きな作動力を得ることができるスライドスイッチ１００を提供することが可能となる。
【００３８】
特に、実施の形態１に係るスライドスイッチ１００においては、クリック板ばね３の膨出部３１の端部近傍を第２の板ばねとしての側板部４２の突出部４２ａで押圧するようにしていることから、第２の板ばねとしての側板部４２の付勢力を確実に膨出部３１へ作用させることができるので、スライド部材２のスライド操作における作動力を確実に高めることが可能となる。
【００３９】
また、実施の形態１に係るスライドスイッチ１００においては、カバー部材４の一部である側板部４２で第２の板ばねを構成していることから、スライドスイッチ１００自体を小型化することができると共に、スライドスイッチ１００を構成する部品点数を増やすことなくスライド操作時における作動力を高めることが可能となる。
【００４０】
しかも、実施の形態１に係るスライドスイッチ１００においては、一方のクリック板ばね３が第２の板ばねとしての側板部４２により付勢され、他方のクリック板ばねとしての弾性片４１ｃがカバー部材４に一体に形成されていることから、スライドスイッチ１００を構成する部品点数を削減でき、スライドスイッチ１００の構成を簡素化することが可能となる。
【００４１】
さらに、実施の形態１に係るスライドスイッチ１００においては、第２の板ばねとしての側板部４２により付勢されるクリック板ばね３と、カバー部材１に一体に形成されるクリック板ばねとしての弾性片４１ｃとが略直交する状態に配置されていることから、２つのクリック板ばねにより略直交する方向にスライド部材２を付勢することができるので、スライド部材２のスライド移動を安定化させることが可能となる。
【００４２】
なお、上記実施の形態においては、絶縁性の樹脂材料でスライド部材２の全体を成形しているが、その一部をインサート成形等により配置した金属部材で構成しても良い。図７及び図８は、実施の形態１の変形例に係るスライドスイッチ１００の分解斜視図である。なお、図８においては、説明の便宜上、スライド部材２にインサート成形される金属部材を抜き出して示している。図７及び図８において、図１と共通する構成部品については、同一の符号を付与し、その説明を省略する。
【００４３】
図７及び図８に示すスライドスイッチ１００は、スライド部材２の上面に金属部材２３がインサート成形される点で実施の形態１に係るスライドスイッチ１００と相違する。スライド部材２にインサート成形される金属部材２３は、図８に示すように、金属板材に打ち抜き加工及び折り曲げ加工が施されて形成されており、スライド部材２と同等に、概して上面視にてＴ字形状を有している。金属部材２３の上面には、略楕円形状に突出する突出部２３ａが設けられている。また、金属部材２３の側縁部には、クリック板ばね３側に突出する突出部２３ｂが設けられている。
【００４４】
この金属部材２３がインサート成形されるスライド部材２の上面には、図８に示すように、長方形状の凹部２１ｈが設けられている。この凹部２１ｈの中央近傍には、金属部材２３の突出部２３ａを下方側から支持する突出部２１ｉが設けられている。操作部２２とは反対側の側面であって、突出部２１ｉに対応する位置には、金属部材２３の突出部２３ｂに対応する形状を有する突出部２１ｍが設けられている。
【００４５】
金属部材２３は、図７に示すように、突出部２３ａが凹部２１ｈの突出部２１ｉ上に配置されると共に、突出部２３ｂがスライド部材２の突出部２１ｍに重ねられるように凹部２１ｈにインサート成形される。これにより、突出部２３ａの側方側に設けられる凹部にて凹部２１ａ、２１ｂが構成され、突出部２３ａの頂面にて凸部２１ｃが構成される。また、突出部２３ｂの側方側に設けられる凹部にて凹部２１ｄ、２１ｅが構成され、突出部２３ｂの側面にて凸部２１ｆが構成される。
【００４６】
このようにスライド部材２の一部をインサート成形等により配置した金属部材２３で構成する場合には、樹脂材料で形成される場合に比べて凹部２１ａ、２１ｂ及び凸部２１ｃから成る係合部、並びに、凹部２１ｄ、２１ｅ及び凸部２１ｆから成る係合部の耐久性を向上することができ、スライド操作時に安定して作動力を得ることができるスライドスイッチ１００を提供することが可能となる。
【００４７】
（実施の形態２）
実施の形態２に係るスライドスイッチは、スライド部材２の操作部２２がカバー部材４の上面から上方側に突出すると共に、スライド部材２のスライド操作時に作動力を発生させるクリック板ばね３及び側板部４２が一対ずつ設けられている点で、実施の形態１に係るスライドスイッチ１００と相違する。以下、実施の形態２に係るスライドスイッチの構成について、実施の形態１に係るスライドスイッチ１００との相違点を中心に説明する。
【００４８】
図９は、本発明の実施の形態２に係るスライドスイッチ２００の分解斜視図である。図１０は、実施の形態２に係るスライドスイッチ２００の斜視図である。図１１は、図１０に示すスライドスイッチ２００からカバー部材を取り除いた状態の斜視図である。なお、図１０及び図１１においては、実施の形態２に係るスライドスイッチ２００にスライド操作が行われていない初期状態を示している。また、図９〜図１１において、図１〜図３と共通する構成部品については、同一の符号を付与し、その説明を省略する。
【００４９】
実施の形態２に係るスライドスイッチ２００においては、実施の形態１に係るスライドスイッチ１００と同様に、収納部１０を有するケース１と、ケース１の収納部１０に収納されるスライド部材２と、同じく収納部１０に収納され、スライド部材２に設けられた係合部に係脱する一対のクリック板ばね３ａ、３ｂと、収納部１０にスライド部材２及びクリック板ばね３ａ、３ｂを収納した状態のケース１に被せられるカバー部材４とを含んで構成されている。
【００５０】
実施の形態２に係るスライドスイッチ２００において、ケース１は、一対のクリック板ばね３ａ、３ｂを収納可能な一対の第２収納部１０ｂが設けられている点、並びに、側面部１１に後述するカバー部材４の側板部４４を収容可能に開口部１１ｂが設けられている点で、実施の形態１に係るケース１と相違する。収納部１０の内底面には、支持壁部１５ａ、１５ｂに加え、これらに対向して配置された支持壁部１５ｃ、１５ｄが設けられている。これらの支持壁部１５ｃ、１５ｄの間には、一定の開口部１７が設けられている。第１収納部１０ａは、これらの支持壁部１５ａ、１５と、支持壁部１５ｃ、１５ｄとの間に設けられ、その内底面に固定接点５が設けられている。
【００５１】
実施の形態２に係るスライドスイッチ２００において、スライド部材２は、基部２１の上面に操作部２２が設けられている点、並びに、基部２１の両側面に凹凸部からなる係合部が設けられている点で、実施の形態１に係るスライド部材２と相違する。操作部２２は、基部２１の中央部において、上方側に突出するように設けられている。また、基部２１の両側面の中央部近傍には、一対の凹部２１ｊ、２１ｋが離間して設けられており、これらの凹部２１ｊ、２１ｋの間には凸部２１ｌが設けられている。
【００５２】
クリック板ばね３ａ、３ｂは、それぞれ実施の形態１に係るクリック板ばね３と共通する構成を有している。すなわち、クリック板ばね３ａ、３ｂは、それぞれ中央部にスライド部材２側に突出するように折り曲げ形成された膨出部３１と、この膨出部３１からスライド部材２のスライド移動方向に延出する被支持部３２ａ、３２ｂとを有している。これらのクリック板ばね３ａ、３ｂは、互いの膨出部３１を対向させた状態でケース１の第２収納部１０ｂに配置される。
【００５３】
実施の形態２に係るスライドスイッチ２００において、カバー部材４は、天板部４１にスライド部材２の操作部２２を露出可能な開口部４４が設けられている点、並びに、天板部４１の長手方向の側縁部から一対の側板部４５、４６が設けられている点で、実施の形態１に係るスライドスイッチ１００と相違する。天板部４１に設けられた開口部４４は、スライド部材２のスライド移動に対応可能に長方形状を有している。側板部４５、４６は、実施の形態１に係る側板部４２と共通する構成を有しており、その中央部には、ケース１の収納部１０側に突出して、それぞれクリック板ばね３ａ、３ｂの膨出部３１の端部近傍の部分（図９に示す部分３１ａ、３１ｂ）を押圧可能な突出部４５ａ、４６ａが設けられている（図９において突出部４５ａは不図示、図１２参照）。
【００５４】
このような構成を有するスライドスイッチ２００を組み立てると、図１１に示すように、スライド部材２は、上方側に操作部２２を突出させた状態で第１収納部１０ａに収納される。クリック板ばね３ａ、３ｂは、膨出部３１を開口部１７、１６から第１収納部１０ａに突出させた状態で第２収納部１０ｂに収納される。そして、図１０に示すように、収納部１０にスライド部材２及びクリック板ばね３を収納した状態のケース１にカバー部材４が被せられる。カバー部材４は、天板部４１の開口部４４から操作部２２が突出すると共に、側板部４５、４６がケース１の側面部１１、１２に設けられた開口部１１ｂ、１２ａに収容されるように配置される。この場合、側板部４５、４６は、それぞれクリック板ばね３ａ、３ｂの外側に配置され、その突出部４５ａ、４６ａがクリック板ばね３ａ、３ｂの膨出部３１の背面に対向して配置されている。
【００５５】
ここで、初期状態におけるスライド部材２、クリック板ばね３ａ、３ｂ及びカバー部材４の側板部４５、４６の関係について説明する。図１２（ａ）、（ｂ）は、実施の形態２に係るスライドスイッチ２００の初期状態における上面図及び下面図である。なお、図１２（ｂ）においては、説明の便宜上、ケース１及び固定接点５を省略している。
【００５６】
図１２（ｂ）に示すように、スライドスイッチ２００の初期状態においては、クリック板ばね３ａ、３ｂの膨出部３１がスライド部材２の凹部２１ｋに収容された状態となっている。この場合、クリック板ばね３ａと、側板部４５の押圧部４５ａとの間には一定のクリアランスが設けられた状態となっている。同様に、クリック板ばね３ｂと、側板部４６の押圧部４６ａとの間には一定のクリアランスが設けられた状態となっている。すなわち、スライドスイッチ２００の初期状態においては、クリック板ばね３ａ、３ｂは、それぞれ側板部４５、４６に付勢された状態となっていない。このため、実施の形態１に係るスライドスイッチ１００と同様に、スライドスイッチ２００のリフロー半田付け時等に、高温に晒されたとしても、側板部４５、４６のばね力の低下を抑えることができ、操作時に所望の作動力を確保できるものとなっている。
【００５７】
次に、実施の形態２に係るスライドスイッチ２００において、スライド操作が行われた場合の状態について説明する。図１３は、実施の形態２に係るスライドスイッチ２００において、スライド操作が行われた場合の斜視図である。図１４（ａ）、（ｂ）は、実施の形態２に係るスライドスイッチ２００において、スライド操作が行われた場合の上面図及び下面図である。なお、図１４（ｂ）においては、説明の便宜上、ケース１及び固定接点５を省略している。
【００５８】
図１０に示す状態からスライド部材２の操作部２２にスライド操作が行われると、図１４（ｂ）に示すように、スライド部材２の凸部２１ｌがクリック板ばね３ａ、３ｂの膨出部３１と当接した状態となる。これにより、膨出部３１が側方側に押し出され、クリック板ばね３ａ、３ｂが側方側に撓むこととなる。クリック板ばね３ａ、３ｂが側方側に撓むと、これに伴って膨出部３１の端部近傍が側板部４５、４６の突出部４５ａ、４６ａと当接し、膨出部３１が押圧されることとなる。これにより、クリック板ばね３ａ、３ｂの付勢力に加えて、側板部４５、４６の付勢力によってスライド部材２が側方側から付勢され、作動力が発生することとなる。
【００５９】
このように実施の形態２に係るスライドスイッチ２００においては、スライド部材２を挟んでクリック板ばね３ａ、３ｂを備えると共に、これらのクリック板ばね３ａ、３ｂに対応して第２の板ばねとしての側板部４５、４６をカバー部材４に形成していることから、スライド部材２のスライド操作時における作動力を更に高めることが可能となる。特に、スライド部材２を挟んでクリック板ばね３ａ、３ｂを配設していることから、バランスよくスライド部材２を保持することができ、スライド移動を安定化させることが可能となる。
【００６０】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【符号の説明】
【００６１】
１００、２００  スライドスイッチ
１  ケース
１０  収納部
１０ａ  第１収納部
１０ｂ  第２収納部
１１、１２  側面部
１１ａ、１１ｂ、１２ａ  開口部
１３、１４  側面部
１３ａ、１３ｂ、１４ａ、１４ｂ  係合片
１５ａ、１５ｂ  支持壁部
１６、１７  開口部
２  スライド部材
２１ａ、２１ｂ  凹部
２１ｃ  凸部
２１ｄ、２１ｅ  凹部
２１ｆ  凸部
２１ｇ  固定突起
２１ｈ  凹部
２１ｉ  突出部
２１ｊ、２１ｋ  凹部
２１ｌ  凸部
２１ｍ  突出部
２２  操作部
２３  金属部材
２３ａ、２３ｂ  突出部
３、３ａ、３ｂ  クリック板ばね
３１  膨出部
３２ａ、３２ｂ  被支持部
４  カバー部材
４１  天板部
４１ａ、４１ｂ  スリット
４１ｃ  弾性片
４１ｄ  膨出部
４２、４５、４６  側板部
４２ａ、４５ａ、４６ａ  突出部
４３ａ、４３ｂ  取付片
４３ｃ、４３ｄ  係合片
４４  開口部
５  固定接点
６  可動接点
６１  固定部
６２ａ、６２ｂ  腕部
６２ｃ、６２ｄ  接点部
【図１】
2011049036.tif 000003
【図２】
2011049036.tif 000004
【図３】
2011049036.tif 000005
【図４】
2011049036.tif 000006
【図５】
2011049036.tif 000007
【図６】
2011049036.tif 000008
【図７】
2011049036.tif 000009
【図８】
2011049036.tif 000010
【図９】
2011049036.tif 000011
【図１０】
2011049036.tif 000012
【図１１】
2011049036.tif 000013
【図１２】
2011049036.tif 000014
【図１３】
2011049036.tif 000015
【図１４】
2011049036.tif 000016